(57)【要約】      （修正有）【課題】覆工コンクリ−トのひび割れ及び剥離の問題の解決するために、適切な温度・湿度調整とコスト削減した養生システムが順次移動でき、遠隔操作等を可能とした覆工コンクリ−トエコ養生システムを提供する。【解決手段】農業用温室を取り入れＣＯ２排除の電気熱源のチラ−ユニット加温装置、並びに市販のフィンタイプ放熱器、噴霧装置及び噴霧器を用いることで覆工コンクリ−ト全表面に対し表面温度設定及び湿度設定を指定する期間連続維持する。遮温カ−テン設置により養生空間層を設け、この空間層を温度２５℃から３０℃及び湿度９０％に連続保持するために、各種センサを設置し、給湯機並びにフィンパイプ放熱器及び噴霧装置、噴霧器をパソコン制御により遠隔運転を行う。さらに、システムを仮設架台に載置し、施工区間毎に順次システムの移動および設置を可能とする。【選択図】図１
2010196456.tif 000002
【特許請求の範囲】
【請求項１】
覆工コンクリ−ト表面から一定間隔を明け、農業用パイプハウス及び同材により遮温カ−テンで仕切り養生空間層を設け、同カ−テンによる両妻側遮温を行うとともに、自由選定によりエコ給湯機で加温された温水を効率よく配置した放熱器で放熱し、噴霧装置及び噴霧器で一定加湿できる。
更に任意選択により機器類の作動並びにデ−タ収集及び管理を工事務所等においてパソコンによる遠隔操作を可能とし、異常警報発生装置を備える。
かつ、既存の仮設架台にも搭載でき、農業用温室機材は、トンネルの形状に合わせた汎用性をもつことを特徴とするトンネル覆工コンクリ−ト総合養生システム。
【請求項２】
工事を円滑に進行するにあたり、空気入りタイヤキャスタ−を具備した随意移動型養生空間層が設置できる。工事用車両が自由に通行でき、更に既存の仮設架台を用いる場合、トンネル形状に合わせた汎用性を持たした同パイプハウス及び養生機器を搭載し、工事車を両通行可能とする。車両通行時における防麈のための防塵カ−テンを随意に設置し、養生機器類設置部は防塵から保護することができ、養生空間層の遮温を助けることを特徴とする請求項１記載の架台に搭載できる汎用性養生空間層設置の遮温カ−テン材並びに取り付け方法と、温室パイプハウス材並びに下地材及びシステム組み立て方法。
【請求項３】
覆工コンクリ−ト養生は、遮温シ−トを取り付けたパイプハウス温室による養生空間層を設ければ充分足りる。しかしながら、念のため給湯機並びに放熱器及び噴霧装置、噴霧器と、これを補助するタンクと制御装置を搭載し、１スパン毎の養生若しくは複数スパン連続養生でき、コンクリ−ト面温度及び養生空間層の空気温度と湿度を養生施工区間毎に管理しながら随時移動することを特徴とする請求項１、２記載の養生方法。
【請求項４】
トンネル内部の空気汚染をなくすため熱源を電気とし、冷媒も可能なチラ−ユニット給湯機並びにフィンタイプ放熱器及び噴霧装置と水噴霧器によりコンクリ−ト表面温度、湿度並びに養生空間層の空気温度及び湿度を指定し、これを連続して指定した温度及び湿度を一定に連続保持することを特徴とする請求項１〜３記載の安全で安心の環境保護対策に優れたトンネル覆工コンクリ−ト養生の方法及び装置による養生総合システム。
【請求項５】
現場における外気温及び水温を想定し、磁気式水処理装置を用い防錆、スケ−ル防除を行い、給湯機により水道水等の水を必用に応じ指定温度に加温し、求める温度の温水を放熱用に供給する。温水の供給受けた放熱器は適正に放熱し、養生空間層の空気温度及び覆工コンクリ−ト表面温度を指定する温度で一定期間連続保持する。更に、設置された温度センサ−センサ−が働き、自動で適正温水を効果的に加温し加湿する。放熱した温水はリタ−ンし、その後貯湯タンクに一時貯留し、必用に応じ再加温し無駄をなくす給湯並びに放熱用に供するもので請求項１〜４記載の全自動の連動システムで繰り返し使用できることを特徴とする加温並びに放熱方法及びその装置。
【請求項６】
本システムの湿度は運転開始から湿度を加え、養生空間層の温度と連動し水を噴霧装置を備えた噴霧器により噴霧し加湿する。請求項３により養生空間層の空気温度が指定温度に到達すれば指定する湿度で安定維持し加湿する。その際、水道水に磁気式水処理装置を用いることで水の化学変化を最小限にし、防錆及びスケ−ル防除を行い、湿度を適正に連続保持でき水噴霧処理後の排水考慮を不要とした噴霧器及び噴霧装置を特徴とした請求項１〜３記載の養生システムで繰り返し使用できる加湿方法並びに加湿装置及び加湿器。
【請求項７】
本システムの温度湿度等のデ−タ収集は、設定した埋設センサ−で、覆工コンクリ−ト表面温度及び湿度と、コンクリ−ト厚中間及びコンクリ−ト背面の温度とコンクリ−ト収縮力をセンサ−により得られ、パソコン制御により遠隔操作する装置並びにデ−タ保存及びプリントする請求項１から４に記載の汎用性を持つパソコン遠隔操作のソフトが含むことを特徴とした覆工コンクリ−ト総合養生システム。
【請求項８】
本システムの給湯機並びに放熱器及び加湿器は、それぞれ制御装置及び制御盤を設置するとともに総合制御盤を設け、それぞれの制御盤から総合制御盤において送られた情報を信号に置き換え、集合させ、トンネル内部をケ−ブルランし、トンネル外は管理事務所まで無線ランさせることにより管理事務所のパソコンにより受信し全情報を遠隔操作ができることを特徴とする請求項１〜７記載のトンネル覆工コンクリ−ト養生方法及び装置によるび総合養生システム。
【発明の詳細な説明】
【技術分野】
【０００１】  本発明は、図（１）によりトンネル覆工コンクリ−ト養生において、養生施工区間１スパンに対し、養生空間層仕切り及び両妻側遮温仕切り用の遮温カ−テンにより高度な保温及び保湿を行い、ア−チ形状の覆工コンクリ−ト表面部分から一定間隔で明けた範囲を温室養生空間層とし、図（２）記載の１スパン及び（３）記載の連続３スパンの覆工コンクリ−ト養生を行う。間仕切りした部分の覆工コンクリ−ト表面温度並びに養生空間層空気温度を指定する温度及び湿度を保持し、１０日間以上連続して養生のために稼動する。本システムは同コンクリ−ト養生のため、水道水等を給湯機により加温した温水を循環させ、図（５）に記載の配置されたフィンパイプ放熱器による放熱する。
更にコンプレッサ−噴霧装置を具備した水噴霧器により水を加圧噴霧し、同養生部分の指定する湿度で一定に連続保持でき、装置の運転、情報管理をパソコンによる遠隔操作で行うトンネル覆工コンクリ−ト総合養生監視制御システムに関する。
【背景技術】
【０００２】  従来の覆工コンクリ−ト養生は、移動式ではあるものの、連続空気注入式バル−ンを用いて間仕切りし、間仕切りにより外気を遮断し養生空間層の温度及び湿度を設定していた養生技術がある。覆工コンクリ−ト表面の養生に関する技術が開示されている。
当該発明の属する分野にある従来の技術を記載します。
【特許文献１】  特開２００８−０２５１５１号公報
【特許文献２】  特開２００８−２２３３７２号公報
【特許文献３】  特開２００７−２０５０５５号公報
【特許文献４】  特開２００６−３２８８６９号公報
【特許文献５】  特開２００６−２９１６９０号公報
【特許文献６】  特開２００６−１６１４０１号公報
【特許文献７】  特開２００６−００９４１０号公報
【特許文献８】  特開２００５−２９９３２３号公報
【特許文献９】  特開２００５−０９０１４６号公報
【０００３】  しかし、覆工コンクリ−ト養生において、市販空調機による空気温度調整及び加湿対策をするが、遮温する手段がバル−ンのためバル−ン内部の空気は常時送り続けなければならないことやバル−ンが破損し易い欠点があり、養生空間層の持続温度及び湿度を確保するに困難をきたし、管理面において特にデ−タの収集処理及び人件費は経費削減が困難で、養生空間層の加温及び加湿についての方法及び手段を試みるものの有効手段がなく、トンネル覆工コンクリ−ト養生の簡単、安全、安心で養生コスト削減及び更なる覆工コンクリ−トの高品質化が強いられているが、これらを解決する決定的な有効条件を摸策し続けながら現在に至っている。
【発明の開示】
【発明が解決しようとする課題】
【０００４】  しかし、バル−ン設置により従来から存在する仮設架台で覆工コンクリ−ト表面温度並びに湿度及び養生空間層の温度、湿度を確保し、コンクリ−ト養生してきたが、コンクリ−トのひび割れ発生が生じ、その原因の追究をするが、コンクリ−の水セメント比並びに混和剤及びコンクリ−トの打設技術、コンクリ−トの表面温度、湿度等々に関連する事項を検討した結果、覆工コンクリ−トの表面温度と乾燥による収縮が原因でひび割れ当が発生すると、調査の蓄積及び文献等により推定される。よって、コンクリ−トが材齢に到達するまで一定期間を表面温度及び湿度の維持管理が最重要課題となる。
【課題を解決するための手段】
【０００５】  解決しようとする問題点は、覆工コンクリ−トのひび割れ並びに剥離及び剥落対策による高品質化及び養生費コスト削減であり、これらの課題を解決するための手段は、養生空間層のコンクリ−ト表面及び養生空間層温度を指定する一定温度で保持し、同部分を指定する一定湿度で保持し、異なる条件の中コンクリ−トが徐々に材齢に到達するまでの約連続１０日間程度、コンクリ−ト圧縮強度試験の結果を見ながら、極度のコンクリ−ト収縮及び乾燥及び過剰な養生を避けつつ、コンクリ−トの材齢に到達することが最も重要課題と文献で発表されている。本システムの採用によりコンクリ−トの高品質化及び養生費削減の目的が達成できることにより従来の課題が解決できる。【０００６】  以上の課題を解決するため、請求項１〜７記載の総合養生システムは、熱源を電気化し、排水処理することなくその解決を図るための手段として、養生空間温度と連動した加湿技術の有効活用により、自然環境破壊の心配もなく、コスト削減を図り、広く普及でき高品質コンクリ−トを構築する。さらに処分対象の廃棄物及び廃水処理の心配もなく安全で安心して使い易いトンネル覆工コンクリ−ト総合養生シテムを提供する。
【発明の効果】
【０００７】  なお、熱源を化石燃料等使用することで環境汚染されるが、本発明による加温装置のチラ−ユニット給湯機及び温水循環装置は、トンネル内部の空気汚染の心配は全くない電気を熱源とする給湯機装置を用い、図（２）及び図（３）記載の給湯機から送り出された温水はフィンタイプ放熱器は自然体放熱器により放熱し、養生空間層及び覆工コンクリ−ト表面温度を指定された一定温度を連続保持する。更に、コンプレッサ−を具備した噴霧装置及び水噴霧器により指定された湿度を一定に保持する。また、放熱した温水はリタ−ンし、一時貯湯タンクに送り込み再び加温され繰り返えし使用する密閉方式であり、湿度保持とともに連動して覆工コンクリ−トの養生を行う。加湿において噴霧器より放出された水は極少量で養生空間層において吸収されるため排水処理の必要はなく、安定した高品質コンクリ−トの構築並びにコスト削減及び環境保護に役立つことができる。【０００８】  しかしながら、給湯機並びに放熱器及び噴霧器は装置内部の錆及びスケ−ルが発生し付着し易く、付着した場合著しく機能低下を引き起こす。そのため、一般的にこれらの防除のためそれぞれの機種は純水仕様とあるが、本給湯機並びに放熱器及び噴霧器は、第一次水導入パイプ及び機器の水取り入れ口直前に市販する磁気式水処理装置を設置し、水に磁気帯びさせ水に化学変化を引き起こさせ、スケ−ル防除及び防錆措置を行なうため特に純水を用いることなく安全で、安心して稼動できる。【０００９】  以上、発明したシステムにおける給湯機並びに放熱器或いは噴霧噴霧器を用いることにより、本発明は化石燃料及び空調機を用いず給湯し、安定して指定温度或いは指定する湿度を連続して保持できる。これらの始動又は休止の指令並びに緊急警報の発信及び温度、湿度管理若しくはコンクリ−ト表面温度、湿度、コンクリ−ト中間層及び背面温度のデ−タ管理及び処理、保存を管理事務所において遠隔操作を行なえる優れものでもあり、メンテナンスを少なくするため精密機器の採用を極力避けることにより、現代社会で最も要求される課題について最大限効果をもたらし幅広く活用でき、一般的に好まれ広く普及し易いものとなる。
【発明を実施するための最良の形態】
【実施例１】
【００１０】  本発明の図（４）は、養生施工区間１スパンのトンネル覆工コンクリ−の仕上り面ア−チ表面部分における覆工コンクリ−ト養生をするため、覆工コンクリ−ト面から一定間隔明けにおける遮温カ−テンを密着設置する部分と、吹き付けコンクリ−ト暑さ１０ｃｍ及び覆工コンクリ−ト厚さ３０ｃｍの断面を構成し、これらを施工するための従来方法による仮設架台を柔軟に使用し、下地材を設置するもので、覆工コンクリート養生空間層を示した全体断面図である。
【実施例２】
【００１１】  本発明の実施例２による図（５）は、可動式仮設架台に搭載設置する遮温カ−テンによる養生空間層における給湯機装置、放熱器、貯湯タンク、噴霧装置、貯水タンク、制御装置を示した施工範囲３スパンにおける平面図で、給湯機は３スパンを共通させ３分岐する。ヘッタ−を用いて１スパン毎に温度及び湿度の制御ができる方法と装置の配置を示す図である。
【実施例３】
【００１２】  本発明の実施例１及び２を完全に満足させるため、１スパン毎に温度センサ−、湿度センサ−及び歪みセンサ−を設置し、そのデ−タは制御装置に送られ、更に総合制御装置より送り込まれてケ−ブルランし、その後は無線で送信され管理事務所のパソコンで受信し処理する。
【実施例４】
【００１３】  本発明の実施例１から３を完全に満足させるため、１スパン毎の制御は、仮設架台に設置の制御装置により制御できるが、更に管理事務所において機器の作動並びに温度、湿度、管理及び収縮のデ−タ管理処理はパソコンにより遠隔操作できる。
【産業上の利用可能性】
【００１４】  本トンネル覆工コンクリ−ト養生システムは、養生施工区間１スパン毎にア−チ形を形成されたコンクリ−ト部分に、養生空間層を設けるため従来からの移動可能な仮設架台に汎用性を持つ専用の下地を装着させ、遮温カ−テンを設置することで外気を完全に遮断した。
この養生空間層におけるコンクリ−ト表面温度並びに養生空間層空気温度及び湿度を指定する期間保持するため、脱着が簡単で繰り返し使える給湯機並びに放熱器に加え空気温度と連動する噴霧装置及び水噴霧器を組み合わせたシステムである。個々の機材においては一般に広く使われていて故障も最も少ない。
本発明は、これらの機器を組み合わせトンネル覆工コンクリ−ト養生に向けシステム化し、この養生システムを導入することによりコンクリ−トの高品質化とコスト削減を図り、現代社会から最も求められている課題の解決を図ることができ社会に貢献できる。
【図面の簡単な説明】
【図１】  トンネルの養生範囲の全断面図を示す。
【図２】  養生空間層設置１スパン分パイプハウス妻側姿図
【図３】  養生空間層設置１スパン分パイプハウス中間姿図
【図４】  移動架台１スパン平面図を示す
【図５】  妻側ア−チ図
【図６】  中間ア−チ図
【符号の説明】１・・・吹き付けコンクリ−ト
２・・・覆工コンクリ−ト
３・・・養生空間層
４・・・遮温カ−テン
５・・・トンネル芯
６・・・円芯
７・・・工事中路面
８・・・スパン芯
９・・・タイヤ付き台車
１０・・本体パイプ柱・梁
１１・・遮温シ−ト下地パイプ
１２・・パイプ柱受Ｈ型鋼
１３・・遮温シ−ト
１４・・ステ−ジ
１５・・柱受けパイプ
１６・・同縁パイプ
【図１】
2010196456.tif 000003
【図４】
2010196456.tif 000004
【図５】
2010196456.tif 000005
【図６】
2010196456.tif 000006
【手続補正書】
【提出日】平成21年5月13日(2009.5.13)
【手続補正１】
【補正対象書類名】明細書
【補正対象項目名】全文
【補正方法】変更
【補正の内容】
【発明の詳細な説明】
【技術分野】
【０００１】
本発明は、図（１）によりトンネル覆工コンクリ−ト養生において、養生施
工区間１スパンに対し、養生空間層仕切り及び両妻側遮温仕切り用の遮温カ−
テンにより高度な保温及び保湿を行い、ア−チ形状の覆工コンクリ−ト表面部
分から一定間隔で明けた範囲を温室養生空間層とし、図（２）（３）記載の１ス
パン及び図（４）記載の連続３スパンの覆工コンクリ−ト養生を行なう。間仕
切りした部分の覆工コンクリ−ト表面温度並びに養生空間層空気温度を指定する温度及び湿度を保持し、１０日間以上連続して養生のために稼動する。本シ
ステムは同コンクリ−ト養生のため、水道水等を給湯機により加温した温水を
循環させ、図（５）に記載の配置されたフィンパイプ放熱器により放熱する。
更にコンプレッサ−噴霧装置を具備した水噴霧器により水を加圧噴霧し、同
養生部分の指定する湿度で一定に連続保持でき、装置の運転、情報管理をパソ
コンによる遠隔操作で行うトンネル覆工コンクリ−ト総合エコ養生監視制御シ
ステムに関する。
【背景技術】
【０００２】
従来の覆工コンクリ−ト養生は、移動式ではあるものの、連続空気注入式バ
ル−ンを用いて間仕切りし、間仕切りにより外気を遮断し養生空間層の温度及
び湿度を設定していた養生技術がある。覆工コンクリ−ト表面の養生に関する
技術が開示されている。
当該発明の属する分野にある従来の技術を記載します。
【先行技術文献】
【特許文献】
【０００３】
【特許文献１】特開2008−025151号公報
【特許文献２】特開2008−223372号公報
【特許文献３】特開2007−205055号公報
【特許文献４】特開2006−328869号公報
【特許文献５】特開2006−291690号公報
【特許文献６】特開2006−161401号公報
【特許文献７】特開2006−009410号公報
【特許文献８】特開2005−299323号公報
【特許文献９】特開2005−090146号公報
【０００４】
しかし、覆工コンクリ−ト養生において、市販空調機による空気温度調整及
び加湿対策をするが、遮温する手段がバル−ンのためバル−ン内部の空気は常
時送り続けなければならないことやバル−ンが破損し易い欠点があり、養生空
間層の持続温度及び湿度を確保するに困難をきたし、管理面において特にデ−
タの収集処理及び人件費は経費削減が困難で、養生空間層の加温及び加湿につ
いての方法及び手段を試みるものの有効手段がなく、トンネル覆工コンクリ−
ト養生の簡単、安全、安心で養生コスト削減及び更なる覆工コンクリ−トの高
品質化が強いられているが、これらを解決する決定的な有効条件を模索し続け
ながら現在に至っている。
【発明の概要】
【発明が解決しようとする課題】
【０００５】
よって、バル−ン設置により従来から存在する仮設架台で覆工コンクリ−ト
表面温度並びに湿度及び養生空間層の温度、湿度を確保し、コンクリ−ト養生
してきたが、コンクリ−トのひび割れ発生が生じ、その原因の追求をするが、
コンクリ−トの水セメント比並びに混和剤及びコンクリ−トの打設技術、コン
クリ−トの表面温度、湿度等々に関連する事項を検討した結果、覆工コンクリ
−トの表面温度と乾燥による収縮が原因でひび割れ等が発生すると、調査の蓄
積及び文献等により推定される。よって、コンクリ−トが材齢に到達するまで
一定期間を表面温度及び湿度の維持管理が最重要課題となる。
【課題を解決するための手段】
【０００６】
本発明は、このような従来の問題点に着目してなされたものであり、解決し
ようとする問題点は、覆工コンクリ−トのひび割れ並びに剥離及び剥落対策に
よる高品質化及び養生費コストの削減であり、これらの課題を解決するための
手段は、養生空間層のコンクリ−ト表面及び養生空間層温度を指定する一定温
度で保持し、同部分を指定する一定する湿度で保持し、異なる条件の中コンク
リ−トが徐々に材齢に到達するまでの約連続１０日間程度、コンクリ−ト圧縮
強度試験の結果を見ながら、極度のコンクリ−ト収縮及び乾燥及び過剰な養生
を避けつつ、コンクリ−トの材齢に到達することが最も重要課題と文献で発表
されている。本システムの採用によりコンクリ−トの高品質化及び養生費削減
の目的が達成できることにより従来の課題の解決が出来る。
【０００７】
本発明は、以上の課題を解決するため、請求項１〜７記載の総合養生システ
ムは、熱源を電気化し、排水処理することなくその解決を図るための手段とし
て、養生空間温度と連動した加湿技術の有効活用により、自然環境破壊の心配
もなく、コスト削減を図り、広く普及でき高品質コンクリ−トを構築する。
更に処分対象の廃棄物及び排水処理の心配もなく安全で安心して使い易いトン
ネル覆工コンクリ−ト総合養生システムを供給する。
【発明の効果】
【０００８】
なお、熱源を化石燃料等使用することで環境汚染されるが、本発明による加
温装置のチラ−ユニット給湯機及び温水循環放熱装置は、トンネル内部の空気
汚染の心配は全くない電気を熱源とする給湯機装置を用い、図（２）及び図（３）
記載の給湯機から送り出された温水はフィンタイプ放熱器は自然体放熱器により放熱し、養生空間層及び覆工コンクリ−ト表面温度を指定された一定温度を連続保持する。更に、コンプレッサ−を具備した噴霧装置及び水噴霧器により指定された湿度を一定に保持する。また、放熱した温水はリタ−ンし、一時貯湯タンクに送り込み再び加温され繰り返し使用する密閉方式であり、湿度保持とともに連動して覆工コンクリ−トの養生を行なう。加湿において噴霧器より放出された水は極少量で養生空間層において吸収されるため排水処理の必要はなく、安定した高品質コンクリ−トの構築並びにコスト削減及び環境保護に役立つことが出来る。
【０００９】
しかしながら、給湯機並びに放熱器及び噴霧器は装置内部の錆及びスケ−ル
が発生し付着し易く、付着した場合著しく機能低下を引き起こす。そのため、
一般的にこれらの防除のためそれぞれの機種は純水使用とあるが、本給湯機並
びに放熱器及び噴霧器は、第一次水導入パイプ及び機器の水取り入れ口直前に
市販する磁気式水処理装置を設置し、水に磁気帯させ水に化学変化を引き起こ
させ、スケ−ル防除及び防錆措置を行なうため特に純水を用いることなく安全
で、安心して稼動できる。
【００１０】
以上、発明したシステムにおける給湯機並びに放熱器或いは噴霧器を用いる
ことにより、本発明は化石燃料及び空調機を用いず給湯し、安定して指定温度
或いは指定する湿度を連続して保持できる。これらの始動又は休止の指令並び
に緊急警報の発信及び温度、湿度管理若しくはコンクリ−ト表面温度、湿度、
コンクリ−ト中間層及び背面温度のデ−タ管理及び処理、保存を管理事務所に
おいて遠隔操作を行なえる優れものでもあり、メンテナンスを少なくするため
精密機器の採用を極力さけることにより、現代社会で最も要求される課題につ
いて最大効果をもたらし幅広く活用でき、一般的に好まれ広く普及し易いもの
となる。
【発明を実施するための形態】
【実施例１】
【００１１】
本発明の図（５）は、養生施工区間１スパンのトンネル覆工コンクリ−トの
仕上がり面ア−チ表面部分における覆工コンクリ−ト養生をするため、覆工コ
ンクリ−トから一定間隔明け遮温カ−テンを密着設置する部分と、吹き付けコ
ンクリ−ト厚さ１０ｃｍ及び覆工コンクリ−ト厚さ３０ｃｍの断面を構成し、
これらを施工するための従来方法による仮設架台を柔軟に使用し、下地材を設
置するもので、覆工コンクリ−ト養生空間層を示した妻側断面図である。
【実施例２】
【００１２】
本発明の実施例２による図（４）は、可動式仮設架台に搭載設置する遮温カ
−テンによる養生空間層における給湯機装置、放熱器、貯湯タンク、噴霧装置、
貯水タンク、制御装置を示した施工範囲１スパンにおける平面図で、給湯機は
３スパンを共通させ３分岐する。ヘッタ−を用いて1スパン毎に温度及び湿度
の制御ができる方法と装置の配置を示す図である。
【実施例３】
【００１３】
本発明の実施例１及び２を完全に満足させるため、１スパン毎に温度センサ
−、湿度センサ−及び歪みセンサ−を設置し、そのデ−タは制御装置に送られ、
更に総合制御装置より送り込まれてケ−ブルランし、その後は無線で送信され
管理事務所のパソコンで受信し処理する。
【実施例４】
【００１４】
本発明の実施例１から３を完全に満足させるため、１スパン毎の制御は、仮
設架台に設置の制御装置により制御できるが、更に管理事務所において機器の
作動並びに温度、湿度、管理及び収縮のデ−タ管理及び処理はパソコンにより
遠隔操作できる。
【産業上の利用可能性】
【００１５】
本トンネル覆工コンクリ−ト養生システムは、養生施工区間１スパン毎にア
−チ形を形成されたコンクリ−ト部分に、養生空間層を設けるため従来からの
移動可能な仮設架台に汎用性をもつ専用の下地を装着させ、遮温カ−テンを設
置することで外気を完全に遮断した。
この養生空間層におけるコンクリ−ト表面温度並びに養生空間層空気温度及
び湿度を指定する期間保持するため、脱着が簡単で繰り返し使える給湯機並び
に放熱器に加え空気温度と連動する噴霧装置及び水噴霧器を組み合わせたシス
テムである。個々の機材においては一般に広く使われていて故障も最も少ない。
本発明は、これらの機器を組み合わせトンネル覆工コンクリ−ト養生に向けシ
ステム化し、この養生システムを導入することによりコンクリ−トの高品質化
とコスト削減を図り、現代社会から最も求められている課題の解決を図ること
ができ社会に貢献できる。
【図面の簡単な説明】
【００１６】
【図１】トンネルの養生範囲の全断面図を示す。
【図２】養生空間層設置１スパン分パイプハウス妻側透視図である。
【図３】養生空間層設置１スパン分パイプハウス中間透視図である。
【図４】移動架台１スパン分平面図を示す。
【図５】妻側ア−チ図である。
【図６】中間ア−チ図である。
【符号の説明】
【００１７】
１・・・吹き付けコンクリ−ト
２・・・覆工コンクリ−ト
３・・・養生空間層
４・・・遮温カ−テン
５・・・トンネル芯
６・・・円芯
７・・・工事中路面
８・・・スパン芯
９・・・タイヤ付き台車
１０・・・本体パイプ柱・トラス材
１１・・・遮温カ−テン下地パイプ
１２・・・パイプ柱受けＨ形鋼
１３・・・遮温カ−テン
１４・・・ステ−ジ
１５・・・柱受けアングル
１６・・・同縁パイプ
１７・・・間隙防止ゴム
１８・・・アーチ材
１９・・・補強材
【手続補正２】
【補正対象書類名】特許請求の範囲
【補正対象項目名】全文
【補正方法】変更
【補正の内容】
【特許請求の範囲】
【請求項１】
覆工コンクリ−ト表面から一定間隔を明け、農業用パイプハウス及び同材に
より遮温カ−テンで仕切り養生空間層を設け、同カ−テンによる両妻側遮温を
行なうとともに、自由選定によりエコ給湯機で加温された温水を効率よく配置
した放熱器で放熱し、噴霧装置及び噴霧器で一定加湿出来る。
更に任意選択により機器類の作動並びにデ−タ収集及び管理を工事事務所等
においてパソコンによる遠隔操作を可能とし、異常警報発生装置を備える。
かつ、既存の仮設架台にも搭載でき、農業用温室機材は、トンネルの形状に
合わせた汎用性をもつことを特徴とするトンネル覆工コンクリ−ト総合エコ養生システム。  
【請求項２】
工事を円滑に進行するにあたり、空気入りタイヤキャスタ−を具備した随意
移動型養生空間層が設置できる。更に既存の仮設架台を用いる場合、トンネル
形状に合わせた汎用性を持たした同パイプハウス及び養生機器を搭載し、工事
車両を通行可能とする。車両通行時における防塵のための防塵カ−テンを随意
に設置し、養生機器類設置部は粉塵から保護することができ、養生空間層の遮
温を助けることを特徴とする請求項1記載の架台に搭載できる汎用性養生空間
層設置の遮温カ−テン材並びに取り付け方法と、温室パイプハウス材並びに下
地材及びシステム組み立て方法。
【請求項３】
覆工コンクリート養生は、遮温シ−トを取り付けたパイプハウス温室による
養生空間層を設ければ充分足りる。しかしながら、念のため給湯機並びに放熱
器及び噴霧装置、噴霧器と、これを補助するタンクと制御装置を搭載し、１ス
パン毎の養生若しくは複数スパン連続養生でき、コンクリ−ト面温度及び養生
空間層の空気温度と湿度を養生施工区間毎に管理しながら随時移動することを
特徴とする請求項１及び２記載の養生方法。
【請求項４】
トンネル内部の空気汚染をなくすため熱源を電気とし、冷媒も可能なチラ−
ユニット給湯機並びにフィンタイプ放熱器及び噴霧装置と水噴霧器によりコン
クリ−ト表面温度、湿度並びに養生空間層の空気温度及び湿度を指定し、これ
を連続して指定した温度及び湿度を一定に連続保持することを特徴とする請求
項１〜３記載の安全で安心の環境保護対策に優れたトンネル覆工コンクリ−ト
養生の方法及び装置による総合エコ養生システム。
【請求項５】
現場における外気温及び水温を想定し、磁気式水処理装置を用い防錆、スケ
−ル防除を行い、給湯機により水道水等の水を必要に応じ指定温度の加温し、
求める温度の温水を放熱用に供給する。温水の供給受けた放熱器は適正に放熱
し、養生空間層の空気温度及び覆工コンクリ−ト表面温度を指定する温度で一
定期間連続保持する。更に、設置された温度センサ−が働き、自動で適正温水
を効果的に加温し加湿する。放熱した温水はリタ−ンし、その後貯湯タンクに
一時貯留し、必用に応じ再加温し無駄をなくす給湯並びに放熱用に供するもの
で請求項1〜４記載の全自動の連動システムで繰り返し使用できることを特徴
とする加温並びに放熱方法及びその装置。
【請求項６】
本システムの湿度は運転開始から湿度を加え、養生空間層の温度と連動し水
を噴霧装置を備えた噴霧器により噴霧し加湿する。請求項３により養生空間層
の空気温度が指定温度に到達すれば指定する温度で安定維持し加湿する。その
際、水道水に磁気式水処理装置を用いることで水の化学変化を最小限にし、防
錆及びスケ−ル防除を行い、湿度を適正に連続保持でき水噴霧処理後の排水考
慮を不要とした噴霧器及び噴霧装置を具備することを特徴とした請求項１〜３
記載の養生システムで繰り返し使用できる加湿方法並びに加湿装置及び加湿器。
【請求項７】
本システムの温度湿度等のデ−タ収集は、設定した埋設センサ−で、覆工コ
ンクリ−ト表面温度及び湿度と、コンクリ−ト厚中間及びコンクリ−ト背面の
温度とコンクリ−ト収縮力をセンサ−により得られ、パソコン制御により遠隔
操作する装置並びにデ−タ保存及びプリントする請求項１〜４に記載の汎用性
を持つパソコン遠隔操作のソフトが含むことを特徴とした覆工コンクリ−ト総
合エコ養生システム。
【請求項８】
本システムの給湯機並びに放熱器及び加湿器は、それぞれ制御装置及び制御
盤を設置するとともに総合制御盤を設け、それぞれの制御盤から総合制御盤に
おいて送られた情報を信号に置き換え、集合させ、トンネル内部をケ−ブルラ
ンし、トンネル外は管理事務所まで無線ランさせることにより管理事務所のパ
ソコンにより受信し全情報を遠隔操作が出来ることを特徴とする請求項１〜７
記載のトンネル覆工コンクリ−ト養生方法及び装置による総合エコ養生システム。
【手続補正４】
【補正対象書類名】図面
【補正対象項目名】全図
【補正方法】変更
【補正の内容】
【図１】
2010196456.tif 000007
【図４】
2010196456.tif 000008
【図５】
2010196456.tif 000009
【図６】
2010196456.tif 000010
【図２】
2010196456.tif 000011
【図３】
2010196456.tif 000012